(57)【要約】【課題】放送番組を再生する場合、主番組を中断すること無しに番組提供者が意図するとおりのＣＭの再生を可能とする記録再生装置、表示装置、記録再生用プログラムおよび記録媒体を提供する。【解決手段】スポーツ中継などの本編情報の間に広告情報が挿入された放送番組を含む放送データから音声データおよび映像データをそれぞれ抽出するデマルチプレクサ１５０１を設ける。映像データの中から本編データおよび広告データとをそれぞれ判別する判別処理部１５０４を設ける。判別した本編データおよび広告データをそれぞれ出力するバッファ切り替え処理部１５０６を設ける。出力された本編データおよび広告データをそれぞれ格納する各バッファ１５０８、１５０９を設ける。各バッファ１５０８、１５０９から読み出された本編データおよび広告データの表示を構成する画面構成処理部１５１０を設ける。【選択図】  図１
2004328546.tif 000002
【特許請求の範囲】
【請求項１】
本編情報の間に広告情報が挿入された放送番組を含む放送データから音声データおよび映像データをそれぞれ抽出する抽出部と、
映像データの中から本編情報に対応した第１のデータ、および広告情報に対応した第２のデータとをそれぞれ判別する判別処理部と、
判別した第１のデータおよび第２のデータを抽出し、それぞれ出力するバッファ切り替え処理部と、
出力された第１のデータおよび第２のデータをそれぞれ格納するバッファと、
バッファから読み出された第１のデータおよび第２のデータの表示を構成する画面構成処理部とを有することを特徴とする記録再生装置。
【請求項２】
さらに、前記判別処理部により判別した第１のデータおよび第２のデータの時間情報をそれぞれ取得して管理する情報取得部を有することを特徴とする請求項１に記載の記録再生装置。
【請求項３】
さらに、前記放送データを記録媒体に記録し、再生する記録再生部を有し、
前記情報取得部は、放送データが記録されるときに前記時間情報を生成するようになっていることを特徴とする請求項２に記載の記録再生装置。
【請求項４】
さらに、前記放送データを記録媒体に記録し、再生する記録再生部を有し、
前記情報取得部は、放送データが再生されるときに前記時間情報を生成するようになっていることを特徴とする請求項２に記載の記録再生装置。
【請求項５】
さらに、前記放送データを記録媒体に記録し、再生する記録再生部を有し、
前記情報取得部は、放送データの非記録再生のときに前記時間情報を生成するようになっていることを特徴とする請求項２に記載の記録再生装置。
【請求項６】
前記バッファ切り替え処理部は、第１のデータを抽出しているときに第２のデータも抽出するようになっていることを特徴とする請求項１に記載の記録再生装置。
【請求項７】
前記バッファ切り替え処理部は、第１のデータおよび第２のデータを第２のデータに含まれる時間情報を基準として抽出するようになっていることを特徴とする請求項２に記載の記録再生装置。
【請求項８】
前記画面構成処理部は、構成する画面構成として、第２のデータの縮小映像データを第１のデータに重畳合成するようになっていることを特徴とする請求項１に記載の記録再生装置。
【請求項９】
前記画面構成処理部は、構成する画面構成として、第２のデータのテキストデータを第１のデータに重畳合成するようになっていることを特徴とする請求項１に記載の記録再生装置。
【請求項１０】
前記画面構成処理部は、構成する画面構成として、第１のデータと第２のデータとを２画面表示するようになっていることを特徴とする請求項１に記載の記録再生装置。
【請求項１１】
前記画面構成処理部は、構成する画面構成として、第２のデータにおける少なくとも１つの縮小映像データを第１のデータの非表示領域に表示するようになっていることを特徴とする請求項１に記載の記録再生装置。
【請求項１２】
前記画面構成処理部は、構成する画面構成として、第１のデータと第２のデータとを同時表示しない視聴タイプと、同時表示する視聴タイプとを選択するための選択部を備えていることを特徴とする請求項１に記載の記録再生装置。
【請求項１３】
さらに、前記放送データを受信するための受信部と、
音声データおよび映像データをそれぞれ復号する音声復号処理部および映像復号処理部とを有することを特徴とする請求項１に記載の記録再生装置。
【請求項１４】
請求項１乃至１３の何れか１項に記載の記録再生装置と、
前記画面構成処理部からのデータに基づき、映像を表示する表示部とを備えていることを特徴とする表示装置。
【請求項１５】
請求項１乃至１３の何れか１項に記載の記録再生装置に記載の各部を、コンピュータにて実行させるための記録再生用プログラム。
【請求項１６】
請求項１５に記載の記録再生用プログラムをコンピュータにて読み取り可能に記録した記録媒体。
【発明の詳細な説明】
【０００１】
【発明の属する技術分野】
本発明は、放送番組として、動画映像、静止映像、音声などの本編データと広告（コマーシャル、以下、ＣＭと記す）データとを含む放送データを、光磁気ディスク、光ディスク、ハードディスクなどの磁気ディスク、または半導体メモリなどの記録媒体に記録するとともに、記録した放送データの本編データとＣＭデータとを判別し、記録した本編データとＣＭデータとをユーザーの要求に即した形態で表示する記録再生装置、表示装置、記録再生用プログラムおよび記録媒体に関するものである。
【０００２】
【従来の技術】
近年、映像や音声などのデータを記録して再生する記録再生装置として、パーソナルコンピュータ、ＤＶＤ（Ｄｉｇｉｔａｌ  Ｖｉｄｅｏ  Ｄｉｓｋ）レコーダー、ハードディスク内蔵レコーダーなどが普及している。
【０００３】
これらの記録再生装置に放送番組を記録し、記録した放送番組を再生する際、ユーザーは、放送番組の本編と本編の間に挿入されるＣＭをスキップするために、早送り操作をしたり、装置に用意されたＣＭスキップ機能を利用したりしている。
【０００４】
しかしながら、ＣＭをスキップする行為は、ＣＭ製作者の意図に反したものであり、顧客からのＣＭ放送料により成り立っている民営の放送業者にとってもＣＭ視聴率の低下による顧客の減少という不都合を生じ、また、有益なＣＭ情報もスキップしてユーザーに伝わらないという不利益をもたらすことがあるものとなっている。
【０００５】
この不都合や不利益を解決する手法として、特開昭６０−１５８７７４号公報（以下、特許文献１とする）、特開２００２−１１２２３８号公報（以下、特許文献２とする）、特開２００２−７７８１２号公報（以下、特許文献３とする）には、放送番組のＣＭ表示に関する方法が開示されている。
【０００６】
特許文献１には、主プログラム（本編）をＴＶ画面の大部分を占める領域に表示し、付随的プログラム（ＣＭ）を画面の残りの限定された領域に表示することにより、放送番組の本編を中断することなくＣＭを挿入可能とすることが記載されている。
【０００７】
特許文献２においては、テレビ（ＴＶ）番組に関する本体画像の表示の全てを一時的に中断し、その間だけ挿入される第１のタイプのテレビＣＭ画像を含むテレビ番組と、テレビ番組の本体画像の表示は中断することなく連続的に表示されたまま、本体画像の中の一部又は本体画像の外周部に常時または断続的に表示される第２のタイプのテレビＣＭ画像を含むテレビ番組とを、切り替えて表示することが記載されている。
【０００８】
特許文献３では、ユーザーが番組表やデータ放送の画面など文字や静止画からなる情報を見ている場合に、ユーザーの操作性を損なわずに、リアルタイムで受信された、あるいは予め記録再生装置に記録されていたＣＭや番組の予告編の映像を、ユーザーからの操作指示によって選択された、表示領域以外の部分に再生する記録再生装置が記載されている。
【０００９】
【特許文献１】
特開昭６０−１５８７７４号公報（１９８５年８月２０日公開）
【００１０】
【特許文献２】
特開２００２−１１２２３８号公報（２００２年４月１２日公開）
【００１１】
【特許文献３】
特開２００２−７７８１２号公報（２００２年３月１５日公開）
【００１２】
【発明が解決しようとする課題】
しかしながら、上記各公報に記載された各従来技術は、新規放送方式の発明であり、現行放送にように、各主番組（各本編データ）の間にＣＭデータが挿入されている放送に対するものではない。
【００１３】
すなわち、特許文献１は、放送局から送信される放送信号が主プログラムと付随的プログラムとを同時刻に放送する放送方式に関する出願であり、現行の放送のように主プログラムの間に付随的プログラムを送信するような時間的に互いに異なる時刻に送信される主プログラムと付随的プログラムとを同一画面に表示する方法ではない。
【００１４】
また、特許文献２は、テレビ番組の本体画像の全ての表示を一時的に中断し、その間だけ挿入される第１のタイプのテレビＣＭ画像を含むテレビ番組が現在放送している放送方式であり、テレビ番組の本体画像の表示は中断することなく連続的に表示されたまま、本体画像の中の一部又は本体画像の外周部に常時または断続的に表示される第２のタイプのテレビＣＭ画像を含むテレビ番組が特許文献１で示されるような放送方式であり、それらの放送方式を同時に送信し、ユーザーが切り替えて表示することが可能な切り替え装置である。
【００１５】
よって、特許文献２に記載の発明は、テレビ番組とＣＭとが時間的に互いに異なる放送方式でのテレビ番組とＣＭとの同時表示を可能とするものではない。
【００１６】
また、特許文献３は、受信した放送信号から主番組データとＣＭデータとである放送データと、主番組データとＣＭデータの付随情報とを記録媒体に記録するものである。上記付随情報は電子番組表（ＥＰＧ：Ｅｌｅｃｔｒｏｎｉｃ  Ｐｒｏｇｒａｍ  Ｇｕｉｄｅ）や録画した番組情報に相当する。これらは放送されてくる電子番組表を元に作成されており、ＣＭデータの時間情報も電子番組表に沿って放送されたものを想定しており、電子番組表がない場合では前記不都合を解決することができない。
【００１７】
本発明は、上記従来の問題点に鑑みなされたものであり、放送番組（コンテンツ）の本編情報と本編情報との間に挿入されているＣＭ情報をスキップして、上記各本編情報を連続的に再生しても、本編情報とＣＭ情報とを同時表示できる記録再生装置、表示装置、記録再生用プログラムおよび記録媒体を提供する。
【００１８】
【課題を解決するための手段】
本発明の記録再生装置は、上記課題を解決するために、スポーツ中継などの本編情報の間に広告情報が挿入された放送番組を含む放送データから音声データおよび映像データをそれぞれ抽出する抽出部と、映像データの中から本編情報に対応した第１のデータ、および広告情報に対応した第２のデータとをそれぞれ判別する判別処理部と、判別した第１のデータおよび第２のデータを抽出し、それぞれ出力するバッファ切り替え処理部と、出力された第１のデータおよび第２のデータをそれぞれ格納するバッファと、バッファから読み出された第１のデータおよび第２のデータの表示を構成する画面構成処理部とを有することを特徴としている。
【００１９】
上記構成によれば、放送データから抽出された映像データの中から、第１のデータである本編情報と第２のデータであるＣＭ情報とを、判別処理部により判別し、バッファ切り替え処理部によって本編情報およびＣＭ情報の表示方法に応じたバッファへのデータ出力を行うことができる。
【００２０】
これにより、上記構成では、判別処理部、バッファ切り替え処理部、バッファおよび画面構成処理部を有するから、本編情報に対応した第１のデータ、およびＣＭ情報に対応した第２のデータの同時表示および再生時間どおりの何れの表示も可能となる。
【００２１】
したがって、上記構成は、野球中継などの本編情報の間にＣＭ情報が挿入された放送番組を含む放送データから、ＣＭ情報をスキップして本編情報を連続的に再生し、本編情報がＣＭ情報の表示により中断される不便さを解消しながら、上記同時表示により、スキップしたＣＭ情報も確認できる。
【００２２】
この結果、上記構成においては、ＣＭ情報を視聴者（ユーザー）に知らしめるというＣＭ製作者の意図に沿い、また、顧客からのＣＭ放送料により成り立っている民営の放送業者にとってもＣＭ視聴率の低下による顧客の減少という不都合を抑制でき、かつユーザーにとって、本編情報を連続して視聴するという利便性を確保しながら、有益なＣＭ情報の取得の逃すという不利益も軽減できる。
【００２３】
上記記録再生装置では、さらに、前記判別処理部により判別した第１のデータおよび第２のデータの時間情報をそれぞれ取得して管理する情報取得部を有していてもよい。
【００２４】
上記構成によれば、第１のデータである本編情報および第２のデータであるＣＭ情報の再生開始時間および再生時間といった時間情報をそれぞれ取得して把握することが可能となり、上記各把握により、表示方法に応じたバッファ切り替えが可能となる。
【００２５】
上記記録再生装置においては、さらに、前記放送データを記録媒体に記録し、再生する記録再生部を有し、前記情報取得部は、放送データが記録されるときに前記時間情報を生成するようになっていてもよい。上記構成によれば、記録するときにＣＭ情報の時間情報を生成するため、再生するときの処理を低減できて、上記再生を迅速化できる。
【００２６】
上記記録再生装置では、前記情報取得部は、放送データが再生されるときに前記時間情報を生成するようになっていてもよい。上記構成によれば、放送データが再生されるときに前記時間情報を生成するので、上記放送データを記録するときの処理量を低減できる。
【００２７】
上記記録再生装置においては、前記情報取得部は、放送データの非記録再生のときに前記時間情報を生成するようになっていてもよい。上記構成によれば、放送データを、記録するとき、または再生するときの処理量を低減できる。
【００２８】
上記記録再生装置では、前記バッファ切り替え処理部は、第１のデータを抽出しているときに第２のデータも抽出するようになっていてもよい。
【００２９】
上記構成によれば、第１のデータを抽出しているときに第２のデータも抽出するので、第１のデータである本編情報の再生中に第２のデータであるＣＭ情報を同時に表示することが可能となる。これにより、上記構成では、ＣＭ情報も視聴しながら、本編情報についても停止せずに連続した視聴が可能となる。
【００３０】
上記記録再生装置においては、前記バッファ切り替え処理部は、第１のデータおよび第２のデータを第２のデータに含まれる時間方法を基準として抽出するようになっていてもよい。
【００３１】
上記構成によれば、第２のデータであるＣＭ情報の再生時間にＣＭ情報が表示されＣＭ情報の終了時刻になるとＣＭ情報の表示がなくなるといった、これまでのＣＭ情報の表示と同じ表示が可能となる。ただし、上記ＣＭ情報の表示は、第１のデータである本編情報を再生して表示しながらでもよいし、上記再生を停止しているときでもよい。
【００３２】
上記記録再生装置では、前記画面構成処理部は、構成する画面構成として第２のデータの縮小映像データを第１のデータに重畳合成するようになっていてもよい。
【００３３】
上記構成によれば、第２のデータであるＣＭ情報を縮小表示し、第１のデータである本編情報の表示の上に重ね合わせて合成表示する子画面表示を行うことが可能となる。これにより、上記構成では、本編情報の表示を見ながらＣＭ情報の表示による確認が可能となる。
【００３４】
上記記録再生装置においては、前記画面構成処理部は、構成する画面構成として、第２のデータのテキストデータを第１のデータに重畳合成するようになっていてもよい。
【００３５】
上記構成によれば、第２のデータであるＣＭ情報の付属（付随）情報や画面の文字情報を抽出して取得したテキストデータの表示を、例えばテロップ（字幕）として、第１のデータである本編情報の表示に重ね合わせて表示することができる。
【００３６】
これにより、上記構成は、本編情報を視聴しながらＣＭ情報のテロップを見て、上記ＣＭ情報を確認できると共に、テロップの表示は縮小映像に比べて表示領域をさらに小さくできて、上記テロップが重ね合わされて表示された本編情報の表示において、上記テロップにより隠れる領域を低減できる。
【００３７】
上記記録再生装置では、前記画面構成処理部は、構成する画面構成として、第１のデータと第２のデータを２画面表示するようになっていてもよい。
【００３８】
上記構成によれば、第１のデータである本編情報と第２のデータであるＣＭ情報との両方をそれぞれ縮小映像とし、互いに重ならないように表示できる。これにより、上記構成は、本編情報とＣＭ情報との両方が非表示領域なしに視聴可能となる。
【００３９】
上記記録再生装置においては、前記画面構成処理部は、構成する画面構成として、第２のデータにおける少なくとも１つの縮小映像を第１のデータの非表示領域に表示するようになっていてもよい。
【００４０】
上記構成によれば、横と縦の表示比率が例えば１６：９のワイドな表示画面の場合に、第１および第２のデータが、それぞれ４：３の表示比率である場合、第１のデータである本編情報は縮小しないで１６：９の表示画面に表示し、１６：９の表示画面の空き領域に縮小された第２データであるＣＭ情報を表示することが可能となる。この場合、ＣＭ情報は上記空き領域に複数表示することも可能である。
【００４１】
上記記録再生装置では、前記画面構成処理部は、構成する画面構成として、第１のデータと第２のデータとを同時表示しない視聴タイプと、同時表示する視聴タイプとを選択するための選択部を備えていてもよい。
【００４２】
上記構成によれば、第１のデータである本編情報と第２のデータであるＣＭ情報の同時表示を行うか否かをユーザーまたは装置が制御可能となる。これにより、従来の視聴形態である本編情報とＣＭ情報の指定時間どおりの表示と、本編情報とＣＭ情報の同時表示とを互いに切り替えることができるためユーザーやＣＭ提供者の意図に即した表示が可能となる。
【００４３】
上記記録再生装置においては、さらに、前記放送データを受信するための受信部と、音声データおよび映像データをそれぞれ復号する音声復号処理部および映像復号処理部とを有していてもよい。
【００４４】
なお、本発明として記載した構成を、前記発明として記載した各構成と、必要に応じて任意に組み合わせてもよい。
【００４５】
本発明の表示装置は、前記の課題を解決するために、上記の何れかに記載の記録再生装置と、前記画面構成処理部からのデータに基づき、映像を表示する表示部とを備えていることを特徴としている。
【００４６】
本発明の記録再生用プログラムは、前記の課題を解決するために、上記の何れかに記載の記録再生装置に記載の各部を、コンピュータにて実行させるためのものであることを特徴としている。
【００４７】
本発明の記録媒体は、前記の課題を解決するために、上記に記載の記録再生用プログラムをコンピュータにて読み取り可能に記録したことを特徴としている。
【００４８】
【発明の実施の形態】
本発明の実施の一形態について図面に基づいて説明すれば、以下の通りである。本発明の実施の形態に係る記録再生装置の第１の構成を図１に基づいて説明する。上記記録再生装置は、主番組データ（本編情報）の間にＣＭデータ（ＣＭ情報）が挿入された放送番組信号を含む放送データを記録再生するためのものである。
【００４９】
本実施の形態では、デジタル衛星放送や地上波デジタル放送またはデジタルケーブル放送などのデジタル放送の記録再生装置を例に記載する。この他にパソコンなどで行われているインターネット放送においても適用することができる。
【００５０】
上記デジタル放送に好適な本発明の実施の形態に係る記録再生装置においては、図１に示すように、放送局や放送衛星から送信される放送番組信号はチューナー（受信部）１５００にて受信され、受信した放送番組信号は信号処理されＴＳ（トランスポートストリーム）データ（放送データ）に変換される。放送番組信号のコンテンツとしては、野球、相撲、サッカーなどのスポーツ中継、ドラマ、音楽、ドキュメンタリー、教育番組などが挙げられる。
【００５１】
変換した放送番組信号のＴＳデータは、ＤＥＭＵＸ（抽出部、逆多重化回路、デマルチプレクサ、ＤＥＭＵｌｔｉｐｌｅＸｅｒ）１５０１に入力されるとともに、ＴＳデータは、記録再生処理部（記録再生部）１５０２により光ディスク、光磁気ディスク、ハードディスクなどの磁気ディスク、半導体メモリなどの記録媒体に記録される。
【００５２】
ＤＥＭＵＸ１５０１は、ＴＳデータとして多重化されている映像データ、音声データまたはＥＰＧなどを含む放送データから映像データ、音声データまたはＥＰＧをそれぞれ抽出し、分離するものである。分離された音声データはＭＰＥＧ  Ｌａｙｅｒ  ２やＡＣ３などの圧縮された音声データであるため、音声復号処理部１５０３に入力され、音声復号処理部１５０３により圧縮データから復号された復号音声データがバッファ切り替え処理部１５０６に入力される。
【００５３】
一方、分離された映像データはＭＰＥＧ２やＭＰＥＧ４などの圧縮された映像データであるため映像復号処理部１５０５に入力され、映像復号処理部１５０５により圧縮データから復号された復号映像データがバッファ切り替え処理部１５０６に入力される。
【００５４】
圧縮データを復号することで得られた非圧縮データである復号音声データや復号映像データからＣＭ判別処理部（判別処理部）１５０４によって、上記復号音声データや復号映像データがＣＭデータ（ＣＭ情報）であるか主番組データ（本編情報）であるかを判別する。判別する仕組みとしてはすでに製品化されているステレオ音声信号であるか否かで判別することができる。また、映像データのタイムスタンプを取得することでＣＭデータか主番組データであるかを判別する方法を用いてもよい。
【００５５】
バッファ切り替え処理部１５０６は、ＣＭ判別処理部１５０４により判別した結果を受けることで、主番組データの復号映像データを主番組バッファ１５０８に、ＣＭデータの復号映像データをＣＭバッファ１５０９に、主番組データの復号音声データを主音声バッファ１５０７にそれぞれ抽出して出力する。
【００５６】
上記主番組バッファ１５０８、ＣＭバッファ１５０９および主音声バッファ１５０７は、各データを一時的に格納しておく、ＲＡＭやハードディスクなどのメモリであり、それぞれ個別に設けてもよいし、１つのメモリをパーティションにより分割して仮想的に個別のメモリとしてもよい。
【００５７】
ＣＭデータの復号音声データは音声として出力しない場合にはバッファに格納しなくてもよい。また、ＣＭデータの復号音声データは、音声認識により文字情報（テキストデータ）に変換し、ＣＭバッファ１５０９に格納し文字情報（テロップ、字幕）として表示することも可能である。主音声バッファ１５０７に格納した復号音声データはオーディオ出力部１５１１によって音声処理されスピーカーなどにより外部に音声として出力される。
【００５８】
主番組バッファ１５０８に格納された主番組データおよびＣＭバッファ１５０９に格納されたＣＭデータは画面構成処理部１５１０によりユーザーの希望する画面構成に変換しビデオ出力部１５１２によりＴＶ表示面に表示される。
【００５９】
ユーザーから指示された指示データを入力部１５１３により取得し、その指示データを画面構成処理部１５１０にて判別することでユーザーが希望する表示方法に切り替えることが可能である。
【００６０】
表示方法には子画面表示、テキスト表示、２画面表示、ワイド画面での非表領域への表示などがある。画面構成処理部１５１０は、これらの画面表示を可能とするために主番組データからの縮小映像データの生成、ＣＭデータからの縮小映像データの生成、主番組データの映像データとＣＭデータの映像データとの合成、ＣＭデータを文字にて表すテキストデータの生成、主番組データの映像データとテキストデータとの合成を行う機能をそれぞれ備えている。
【００６１】
さらに、画面構成処理部１５１０は、構成する画面構成として、主番組データとＣＭデータとの各映像を同時表示しない視聴タイプと、同時表示する視聴タイプとの何れかを、入力部１５１３からユーザーより指示された指示データに基づき選択するための選択機能（選択部）を備えていてもよい。
【００６２】
上記、記録再生装置の構成で説明したように、主番組データの映像データとＣＭデータの映像データは画面構成処理部１５１０により映像単位で縮小されるため、各データは別々のバッファ（メモリ）上に格納されていることが好ましい。
【００６３】
そこで、主番組バッファ１５０８とＣＭバッファ１５０９とをそれぞれ設け、主番組データとＣＭデータとを判別し、主番組データとＣＭデータとを互いに異なるメモリにそれぞれ格納することにより、ユーザーの希望する主番組データとＣＭデータとの同時再生・同時表示を可能とする。
【００６４】
これによって、主番組データはＣＭデータにより中断されることなしに連続的に再生して表示可能となり、かつ放送提供者が意図するＣＭデータをスキップなしにて提供する、ことの両方を満たすことが可能となる。
【００６５】
また、上記構成による記録媒体は、光ディスク、メモリ、ハードディスクなどの書き込み可能な記録媒体、ＣＤ−ＲやＤＶＤ−Ｒなどのような一回のみ書き込み可能な記録媒体、ＣＤ−ＲＷやＤＶＤ−ＲＡＭなどのような複数回の書き込み可能な記録媒体の何れであってもよい。
【００６６】
次に、本発明の実施の形態に係る記録再生装置の第２の構成について図２を用いて説明する。本第２の構成に関する説明では、前記の第１の構成と同様な機能を有する部材については、同一の部材番号を付与してそれらの説明を省いた。
【００６７】
本第２の構成においては、図２に示すように、ＣＭ情報取得部（情報取得部）１５１４が第１の構成に加えて設けられている。
【００６８】
ＣＭ情報取得部１５１４は、ＣＭ判別処理部１５０４で判別した結果を元に、ＣＭデータにより分断された主番組データの数およびＣＭデータの数、並びに、各主番組データおよび各ＣＭデータの再生開始時間および再生間隔の時間情報、または各主番組データおよび各ＣＭデータの記録位置情報をそれぞれ抽出して取得するためのものである。ＣＭ情報取得部１５１４により取得された各情報は記録再生処理部１５０２により記録媒体に記録される。
【００６９】
記録媒体に記録されたＴＳデータ（放送番組信号）を再生する場合は、上記時間情報または記録位置情報が読み出され、ＣＭ情報取得部１５１４により主番組データの再生位置およびＣＭデータの再生位置を取得する。取得した時間情報または記録位置情報は、バッファ切り替え処理部１５０６に入力され、上記時間情報により主番組データかＣＭデータかを判別され、主番組バッファ１５０８およびＣＭバッファ１５０９にそれぞれ格納される。
【００７０】
上記した記録再生装置により記録された主番組データおよびＣＭデータに対する時間情報による処理方法について、図３（ａ）〜図３（ｃ）に基づきそれぞれ詳細に説明する。
【００７１】
図３（ａ）は、記録され多重化された放送データ１６００と、（主番組データ＋ＣＭデータ）の合計再生時間１６０１、各主番組データがそれぞれ再生される時間１６０２、各ＣＭデータがそれぞれ再生される時間１６０３の関係を表した各タイミングチャートである。
【００７２】
図３（ｂ）は、放送データ１６００の時間（管理）情報が、（主番組データ＋ＣＭデータ）か、主番組データか、ＣＭデータかの各データタイプをそれぞれ示す表である。図３（ｂ）では、（主番組データ＋ＣＭデータ）１６０４はデータタイプ０、主番組データ１６０５はデータタイプ１、ＣＭデータ１６０６はデータタイプ２として表されている。
【００７３】
図３（ｃ）は、放送データが複数存在する場合に、どの放送データかを識別して示すための放送データ番号１６０７の欄、データが（主番組データ＋ＣＭデータ）、主番組データ、ＣＭデータの何れかを識別して示すためのデータタイプ１６０８の欄、番組開始時間からのデータが再生を開始する開始時間１６０９の欄、データが再生される時間を示す間隔１６１０の欄、というように（主番組データ＋ＣＭデータ）、主番組データ、ＣＭデータの各データに対する時間情報・管理情報をテーブルのリストとして管理するためのテーブルである。
【００７４】
図３（ｃ）に示すように、例えば、番号０には、放送データ番号０であることを示す０が記載されており、データタイプは（主番組データ＋ＣＭデータ）であるデータタイプ０が記載され、開始時間は００：００：００、間隔は０１：００：００が記載されている。
【００７５】
番号１においては、放送データ番号０であることを示す０が記載されており、データタイプは主番組データであるデータタイプ１が記載され、開始時間は００：００：００、間隔は００：２０：３０が記載されている。
【００７６】
番号２では、放送データ番号０であることを示す０が記載されており、データタイプは主番組データを示すデータタイプ１が記載され、開始時間は００：２１：００、間隔は００：２０：００が記載されている。
【００７７】
番号３には、放送データ番号０であることを示す０が記載されており、データタイプは主番組データを示すデータタイプ１が記載され、開始時間は００：４２：００、間隔は００：１８：００が記載されている。
【００７８】
番号４では、放送データ番号０であることを示す０が記載されており、データタイプはＣＭデータを示すデータタイプ２が記載され、開始時間は００：２０：３０、間隔は００：００：３０が記載されている。
【００７９】
番号５においては、放送データ番号０であることを示す０が記載されており、データタイプはＣＭデータを示すデータタイプ２が記載され、開始時間は００：４１：００、間隔は００：０１：００が記載されている。このテーブルの順番は、本第２の構成ではデータタイプの順に記載したが、再生開始時間順としてもよい。
【００８０】
このテーブルの時間情報や識別情報といった管理情報は、放送データ（放送番組信号）を記録するときに、ＣＭ判別処理部１５０４により主番組データ（本編データ）とＣＭデータとを互いに判別することで、記録した主番組データとＣＭデータとの情報をそれぞれ取得し、時間情報および識別情報の少なくとも一方の情報を記録媒体に記録する構成としてもよい。
【００８１】
また、記録された放送データを再生するときにＣＭ判別処理部１５０４により主番組データとＣＭデータとを互いに判別することで、記録した主番組データとＣＭデータの情報を取得し、時間情報および識別情報の少なくとも一方の位置情報を記録媒体に記録する構成としてもよい。
【００８２】
さらに、ＣＭ判別処理部１５０４により主番組データとＣＭデータとを互いに判別し、記録した主番組データとＣＭデータの情報を取得するのは、データを記録または再生していない非動作時（非記録再生時）であってもよい。放送データ（放送番組信号）や番組情報を記録する記録フォーマットとして、Ｑｕｉｃｋ  ＴｉｍｅやＡＳＦ（Ａｄｖａｎｃｅｄ  Ｓｔｒｅａｍｉｎｇ  Ｆｏｒｍａｔ）などの汎用ファイルフォーマットを用いる構成であってもよい。
【００８３】
図４（ａ）乃至（ｄ）は、主番組データとＣＭデータとを表示する表示方法をそれぞれ示した平面図である。図４（ａ）は、主番組データに基づく主番組映像１７００の上にＣＭデータの縮小映像であるＣＭ映像１７０１を合成表示した子画面として表示する例である。図４（ｂ）は、主番組映像１７００の上に、ＣＭデータをテキストデータとしたＣＭテキスト情報１７０２をテロップや字幕として合成表示する表示例である。図４（ｃ）は主番組映像１７０２とＣＭ映像１７０５とを２画面表示する表示例である。この表示例では、ワイド画面１７０３に表示した例である。
【００８４】
図４（ｄ）は表示画面がワイド画面であり、主番組映像１７０６が４：３画像の場合、ＣＭデータのＣＭ映像１７０７をワイド領域（通常は無表示領域）に縮小表示する表示例である。また、この場合は主番組内の複数のＣＭデータを各ＣＭ映像１７０７〜１７０９として同時に表示することも可能となる。
【００８５】
また、ＣＭ再生時間にはそのＣＭの動画映像が表示され、主番組データの再生時間には、ＣＭデータは静止画表示またはアイコン表示（メーカーアイコンなど）することもできる。ネットワークに対応している場合に、ＣＭデータまたはアイコンを選択するとそのメーカーのホームページが、上記各ＣＭ映像と同様に表示されるように設定することも可能である。
【００８６】
また、本発明に係る、上記の何れかの記録再生装置と、前記画面構成処理部１５１０からのデータに基づき、映像を表示する液晶表示部などの表示部とを備えた表示装置を構成することができる。
【００８７】
さらに、本発明に係る、上記の何れかの記録再生装置の各部を、コンピュータにて実行させるための記録再生用プログラムを作成でき、その記録再生用プログラムをコンピュータにて読み取り可能に記録した記録媒体として上市（市場に流通させることが）できる。上記記録媒体の具体例としては、前述したものが挙げられる。
【００８８】
【発明の効果】
本発明の記録再生装置は、以上のように、映像データの中から本編情報に対応した第１のデータ、およびＣＭ情報に対応した第２のデータとをそれぞれ判別する判別処理部と、判別した第１のデータおよび第２のデータを抽出し、それぞれバッファに出力するバッファ切り替え処理部と、バッファから読み出された第１のデータおよび第２のデータの表示を構成する画面構成処理部とを有する構成である。
【００８９】
上記構成によれば、ＣＭ情報の区間をスキップしない場合は従来通りＣＭ情報の表示が本編情報と本編情報との各表示の間に視聴でき、ＣＭ情報の区間をスキップする場合は、本編情報の表示にＣＭ情報の表示を重畳表示することによって、ＣＭ製作者の意図を確実に反映する事が可能となるという効果を奏する。
【図面の簡単な説明】
【図１】本発明の実施の形態に係る記録再生装置における第１の構成のブロック図を示す模式図である。
【図２】本発明の実施の形態に係る記録再生装置における第２の構成のブロック図を示す模式図である。
【図３】本発明の記録再生装置における主番組データとＣＭデータの再生情報や識別情報を示し、（ａ）は、各データのタイミングチャート、（ｂ）は各データタイプの表、（ｃ）は再生情報や識別情報を示すテーブルである。
【図４】（ａ）〜（ｄ）は、本発明の記録再生装置により、主番組データとＣＭデータとを表示する各表示例をそれぞれ示す正面図である。
【符号の説明】
１５００：チューナー
１５０１：ＤＥＭＵＸ（抽出部）
１５０２：記録再生処理部
１５０３：音声復号処理部
１５０４：ＣＭ判別処理部（判別処理部）
１５０５：映像復号処理部
１５０６：バッファ切り替え処理部
１５０７：主音声バッファ
１５０８：主番組バッファ
１５０９：ＣＭバッファ
１５１０：画面構成処理部
１５１１：オーディオ出力部
１５１２：ビデオ出力部
１５１３：入力部
１５１４：ＣＭ情報取得部（情報取得部）
【図１】
2004328546.tif 000003
【図２】
2004328546.tif 000004
【図３】
2004328546.tif 000005
【図４】
2004328546.tif 000006